(57)【要約】【課題】  撮像装置で撮影した動画データをストレージサーバに転送する画像転送システムを、高速の専用回線を用いることなく構築できるようにする。【解決手段】  被写体を撮像して生成した動画データからデータブロックを生成して順次転送する撮像装置と、前記撮像装置から転送されるデータブロックを受信して複数のアクセスポイントに転送する無線中継点と、前記無線中継点から転送されたデータブロックをインターネットを介してストレージサーバに転送する複数のアクセスポイントと、前記複数のアクセスポイントから夫々送られてくるデータブロックのうち、最も早く到着したデータブロックをストレージ媒体に格納するデータブロック格納手段と、前記ストレージ媒体に格納されたデータブロックから元の動画データを復号するデータブロック復号手段とを設け、インターネットを用いてのデータ転送において、リアルタイム性を確保できるようにする。【選択図】  図１
2006157235.tif 000002
【特許請求の範囲】
【請求項１】
被写体を撮像して動画データを生成する撮像手段と、
前記撮像手段によって生成された動画データを複数フレーム群に分割する動画データ分割手段と、
前記動画データ分割手段によってフレーム分割された動画データをフレーム群毎に圧縮して圧縮データを生成する圧縮データ生成手段と、
前記圧縮データ生成手段によって生成された圧縮データに、フレーム番号や利用者ＩＤ等の情報を付加してデータブロックを生成するデータブロック生成手段と、
前記データブロック生成手段によって生成されたデータブロックを無線中継点に転送する無線通信手段とを有することを特徴とする撮像装置。
【請求項２】
被写体を撮像して生成した動画データからデータブロックを生成して順次転送する撮像装置と、
前記撮像装置から転送されるデータブロックを受信するとともに、前記受信したデータブロックを複数のアクセスポイントに転送する無線中継点と、
前記無線中継点から転送されたデータブロックをインターネットを介してストレージサーバに転送する複数のアクセスポイントと、
前記複数のアクセスポイントから夫々送られてくるデータブロックのうち、最も早く到着したデータブロックをストレージ媒体に格納するデータブロック格納手段と、
前記ストレージ媒体に格納されたデータブロックから元の動画データを復号するデータブロック復号手段とを有することを特徴とする画像転送システム。
【請求項３】
前記データブロック復号手段によって復号された動画データをデジタルビデオディスクに記録する動画データ記録手段を有することを特徴とする請求項２に記載の画像転送システム。
【請求項４】
被写体を撮像して動画データを生成する撮像工程と、
前記撮像工程によって生成された動画データを複数フレーム群に分割する動画データ分割工程と、
前記動画データ分割工程によってフレーム分割された動画データをフレーム群毎に圧縮して圧縮データを生成する圧縮データ生成工程と、
前記圧縮データ生成工程によって生成された圧縮データに、フレーム番号や利用者ＩＤ等の情報を付加してデータブロックを生成するデータブロック生成工程と、
前記データブロック生成工程によって生成されたデータブロックを無線中継点に転送する無線通信工程とを有することを特徴とする撮像装置の制御方法。
【請求項５】
被写体を撮像して生成した動画データからデータブロックを生成して順次転送するデータブロック転送工程と、
前記データブロック転送工程によって転送されるデータブロックを無線中継点で受信するとともに、前記受信したデータブロックを前記無線中継点から複数のアクセスポイントに転送する無線中継工程と、
前記無線中継点から転送されたデータブロックを、前記複数のアクセスポイントからインターネットを介してストレージサーバに中継するデータブロック中継工程と、
前記複数のアクセスポイントから夫々送られてくるデータブロックのうち、最も早く到着したデータブロックをストレージ媒体に格納するデータブロック格納工程と、
前記ストレージ媒体に格納されたデータブロックから元の動画データを復号するデータブロック復号工程とを有することを特徴とする動画データ転送方法。
【請求項６】
前記データブロック復号工程によって復号された動画データをデジタルビデオディスクに記録する動画データ記録工程を有することを特徴とする請求項５に記載の動画データ転送方法。
【請求項７】
被写体を撮像して動画データを生成する撮像工程と、
前記撮像工程によって生成された動画データを複数フレーム群に分割する動画データ分割工程と、
前記動画データ分割工程によってフレーム分割された動画データをフレーム群毎に圧縮して圧縮データを生成する圧縮データ生成工程と、
前記圧縮データ生成工程によって生成された圧縮データに、フレーム番号や利用者ＩＤ等の情報を付加してデータブロックを生成するデータブロック生成工程と、
前記データブロック生成工程によって生成されたデータブロックを無線中継点に転送する無線通信工程とを有する撮像装置の制御方法をコンピュータに実行させることを特徴とするコンピュータプログラム。
【請求項８】
被写体を撮像して生成した動画データからデータブロックを生成して順次転送するデータブロック転送工程と、
前記データブロック転送工程によって転送されるデータブロックを無線中継点で受信するとともに、前記受信したデータブロックを前記無線中継点から複数のアクセスポイントに転送する無線中継工程と、
前記無線中継点から転送されたデータブロックを、前記複数のアクセスポイントからインターネットを介してストレージサーバに中継するデータブロック中継工程と、
前記複数のアクセスポイントから夫々送られてくるデータブロックのうち、最も早く到着したデータブロックをストレージ媒体に格納するデータブロック格納工程と、
前記ストレージ媒体に格納されたデータブロックから元の動画データを復号するデータブロック復号工程とを有する動画データ転送方法をコンピュータに実行させることを特徴とするコンピュータプログラム。
【請求項９】
前記請求項７または８に記載のコンピュータプログラムを記録したことを特徴とするコンピュータ読み取り可能な記録媒体。
【発明の詳細な説明】
【技術分野】
【０００１】
本発明は、デジタルビデオカメラ等の撮像装置に関する。
【背景技術】
【０００２】
デジタルカメラ、デジタルビデオカメラ等の撮像装置は、通常、撮った画像をメモリカード等の記録媒体に記録することができる。
近年では、デジタルカメラ、デジタルビデオカメラ等の撮像装置で撮影された動画を撮像装置からインターネット上のストレージサーバに無線で転送する動画転送システムが提案されている（例えば、特許文献１）。
【０００３】
【特許文献１】特開２００２−２８１４２１号公報
【発明の開示】
【発明が解決しようとする課題】
【０００４】
特許文献１では、無線中継点である無線基地局からストレージサーバであるデータ保存サーバまでのデータ転送の高速化について考慮されていない。
【０００５】
そこで、本発明は、無線中継点からストレージサーバまでのデータ転送を高速に行うことができるようにすることを目的とする。
【課題を解決するための手段】
【０００６】
本発明の撮像装置は、被写体を撮像して動画データを生成する撮像手段と、前記撮像手段によって生成された動画データを複数フレーム群に分割する動画データ分割手段と、前記動画データ分割手段によってフレーム分割された動画データをフレーム群毎に圧縮して圧縮データを生成する圧縮データ生成手段と、前記圧縮データ生成手段によって生成された圧縮データに、フレーム番号や利用者ＩＤ等の情報を付加してデータブロックを生成するデータブロック生成手段と、前記データブロック生成手段によって生成されたデータブロックを無線中継点に転送する無線通信手段とを有することを特徴とする。
【０００７】
本発明の画像転送システムは、被写体を撮像して生成した動画データからデータブロックを生成して順次転送する撮像装置と、前記撮像装置から転送されるデータブロックを受信するとともに、前記受信したデータブロックを複数のアクセスポイントに転送する無線中継点と、前記無線中継点から転送されたデータブロックをインターネットを介してストレージサーバに転送する複数のアクセスポイントと、前記複数のアクセスポイントから夫々送られてくるデータブロックのうち、最も早く到着したデータブロックをストレージ媒体に格納するデータブロック格納手段と、前記ストレージ媒体に格納されたデータブロックから元の動画データを復号するデータブロック復号手段とを有することを特徴とする。
【０００８】
本発明の撮像装置の制御方法は、被写体を撮像して動画データを生成する撮像工程と、前記撮像工程によって生成された動画データを複数フレーム群に分割する動画データ分割工程と、前記動画データ分割工程によってフレーム分割された動画データをフレーム群毎に圧縮して圧縮データを生成する圧縮データ生成工程と、前記圧縮データ生成工程によって生成された圧縮データに、フレーム番号や利用者ＩＤ等の情報を付加してデータブロックを生成するデータブロック生成工程と、前記データブロック生成工程によって生成されたデータブロックを無線中継点に転送する無線通信工程とを有することを特徴とする。
【０００９】
本発明の動画データ転送方法は、被写体を撮像して生成した動画データからデータブロックを生成して順次転送するデータブロック転送工程と、前記データブロック転送工程によって転送されるデータブロックを無線中継点で受信するとともに、前記受信したデータブロックを前記無線中継点から複数のアクセスポイントに転送する無線中継工程と、前記無線中継点から転送されたデータブロックを、前記複数のアクセスポイントからインターネットを介してストレージサーバに中継するデータブロック中継工程と、前記複数のアクセスポイントから夫々送られてくるデータブロックのうち、最も早く到着したデータブロックをストレージ媒体に格納するデータブロック格納工程と、前記ストレージ媒体に格納されたデータブロックから元の動画データを復号するデータブロック復号工程とを有することを特徴とする。
【００１０】
本発明のコンピュータプログラムは、被写体を撮像して動画データを生成する撮像工程と、前記撮像工程によって生成された動画データを複数フレーム群に分割する動画データ分割工程と、前記動画データ分割工程によってフレーム分割された動画データをフレーム群毎に圧縮して圧縮データを生成する圧縮データ生成工程と、前記圧縮データ生成工程によって生成された圧縮データに、フレーム番号や利用者ＩＤ等の情報を付加してデータブロックを生成するデータブロック生成工程と、前記データブロック生成工程によって生成されたデータブロックを無線中継点に転送する無線通信工程とを有する撮像装置の制御方法をコンピュータに実行させることを特徴とする。
また、本発明のコンピュータプログラムの他の特徴とするところは、被写体を撮像して生成した動画データからデータブロックを生成して順次転送するデータブロック転送工程と、前記データブロック転送工程によって転送されるデータブロックを無線中継点で受信するとともに、前記受信したデータブロックを前記無線中継点から複数のアクセスポイントに転送する無線中継工程と、前記無線中継点から転送されたデータブロックを、前記複数のアクセスポイントからインターネットを介してストレージサーバに中継するデータブロック中継工程と、前記複数のアクセスポイントから夫々送られてくるデータブロックのうち、最も早く到着したデータブロックをストレージ媒体に格納するデータブロック格納工程と、前記ストレージ媒体に格納されたデータブロックから元の動画データを復号するデータブロック復号工程とを有する動画データ転送方法をコンピュータに実行させることを特徴とする。
【発明の効果】
【００１１】
本発明によれば、被写体を撮像して動画データを生成する撮像手段と、前記撮像手段によって生成された動画データを複数フレーム群に分割する動画データ分割手段と、前記動画データ分割手段によってフレーム分割された動画データをフレーム群毎に圧縮して圧縮データを生成する圧縮データ生成手段と、前記圧縮データ生成手段によって生成された圧縮データに、フレーム番号や利用者ＩＤ等の情報を付加してデータブロックを生成するデータブロック生成手段と、前記データブロック生成手段によって生成されたデータブロックを無線中継点に転送する無線通信手段とを設けたので、撮影した動画データをストレージサーバにリアルタイムに転送することができ、動画データを記録するためのストレージ媒体の記憶容量に制約されることなく撮影を行うことができる。また、ストレージ媒体が不要な分だけ、ストレージ媒体の駆動に要する電池の消耗を不要にできる。さらに、ストレージ媒体が不要な分だけ小型軽量化が可能であり、実用上において大きなメリットが得られる。
【００１２】
また、本発明の他の特徴によれば、被写体を撮像して生成した動画データからデータブロックを生成して順次転送する撮像装置と、前記撮像装置から転送されるデータブロックを受信するとともに、前記受信したデータブロックを複数のアクセスポイントに転送する無線中継点と、前記無線中継点から転送されたデータブロックをインターネットを介してストレージサーバに転送する複数のアクセスポイントと、前記複数のアクセスポイントから夫々送られてくるデータブロックのうち、最も早く到着したデータブロックをストレージ媒体に格納するデータブロック格納手段と、前記ストレージ媒体に格納されたデータブロックから元の動画データを復号するデータブロック復号手段とを設けたので、インターネットを用いてのデータ転送において、リアルタイム性を確保することができる。
【発明を実施するための最良の形態】
【００１３】
以下に、添付図面を参照して、本発明の好適な実施例を詳細に説明する。
【００１４】
［第１の実施の形態］
図１は、本発明の実施の形態としての画像転送システムの構成の一例を示すブロック図である。図１において、１０１は撮像装置の一例であるデジタルビデオカメラであり、撮像した映像データもしくは音声データを無線によって、デジタルビデオカメラ１０１の現在位置から最も近い無線中継点１０２に転送する仕組みを有している。なお、本実施形態では、撮像装置としてデジタルビデオカメラを採用したが、画像を撮影する機能を有する装置であれば、他の装置（デジタルカメラ、カメラ付き携帯電話等）を採用することも可能である。
【００１５】
１０２は無線中継点であり、これらは、デジタルビデオカメラ１０１を提供する会社、もしくは、画像転送サービスを提供する会社が設置しているもので、デジタルビデオカメラ１０１を利用するユーザが金銭での契約でサービスの提供を受けるものである。
【００１６】
１０３は第１のアクセスポイント、１０４は第２のアクセスポイント、１０５は第３のアクセスポイントであり、インターネット１０６に接続するアクセスポイントである。なお、本実施の形態においては３つのアクセスポイントを使用する例を示しているが、アクセスポイントの個数は任意である。
【００１７】
１０７は撮像し転送された映像データもしくは、音声データを格納するストレージサーバであり、デジタルビデオカメラ１０１を提供する会社、もしくは、画像格納サービスを提供する会社が設置しているもので、デジタルビデオカメラ１０１を利用するユーザが金銭での契約でサービスの提供を受けるものである。
【００１８】
ストレージサーバ１０７では、多くの利用者が利用するため、大容量のストレージシステムを備えており、動画データ、音声データの登録、検索や削除、または編集などを容易に行うことができるようなシステムが稼動している。
【００１９】
動画データまたは音声データの閲覧は、インターネット１０６等を介して、ユーザが自宅１０９で閲覧できる他、ユーザの希望により、ＤＶＤ等のような記録媒体１０８に格納し、郵送によってそのデータを取得でできるサービスも提供される。
【００２０】
以下、データの流れに沿って詳細に説明する。
デジタルビデオカメラ１０１は、無線により無線中継点１０２と通信する機能を有している。本実施の形態においては、デジタルビデオカメラ１０１と無線中継点１０２とは、ある間隔で常に通信が行われており、距離によって通信出力の増減を行い、お互いが見失わないようなシステムになっている。
【００２１】
また、無線中継点１０２の通信可能エリアから逸脱する場合でも、次の無線中継点（図示せず）が直ぐにカバーできるようになっており、デジタルビデオカメラ１０１と無線中継点１０２との通信が途切れることなく、デジタルビデオカメラ１０１はストレージサーバ１０７に常にアクセスできる環境となっている。
【００２２】
図２は、撮像された動画データを圧縮し、ストレージサーバ１０７に転送するためのデータブロックを作成する手順を説明する図であり、図４はデジタルビデオカメラ１０１の制御方法の手順を説明するフローチャートである。
図２に示すように、被写体の撮影が行われると（ステップＳ４０１）、次に、撮影された画像は連続するフレーム２０１（２１１）を構成する（ステップＳ４０２）。次に、これらのフレーム２０１（２１１）を複数フレーム毎に分割してフレーム群を形成し（ステップＳ４０３）、それぞれ別々に画像圧縮回路２０２（２１２）にて圧縮を行う（ステップＳ４０４）。
【００２３】
次に、出力された圧縮データに対し、それぞれフレーム群を区別するためのフレーム番号、デジタルビデオカメラ１０１の所有者の利用者ＩＤ等を付加し、データブロック２０３（２１３）を形成する（ステップＳ４０５）。次に、これらデータブロック２０３（２１３）を無線中継点１０２に無線によって順次転送する（ステップＳ４０６）。次に、ステップＳ４０７において、撮影が終了したか判断し、終了していない場合にはステップＳ４０１に戻って前述した処理を繰り返し行う。また、ステップＳ４０７の判定の結果、撮影を終了した場合には処理を終了する。
【００２４】
図５は、デジタルビデオカメラ１０１で生成した動画データをストレージサーバ１０７に転送する手順を説明するフローチャートである。
データブロックの転送処理が開始されると、ステップＳ５０１にてデジタルビデオカメラ１０１から無線中継点１０２にデータブロック２０３（２１３）が転送される。本実施の形態の無線中継点１０２では、転送されたデータブロック２０３（２１３）を一時的に格納できるバッファ（図示せず）を備えているが、コストを抑えるために、多くの容量を持たず、そのため、ストレージサーバ１０７へのデータの転送をリアルタイムに行い、滞ることがないようにしている。
【００２５】
図１に示した第１のアクセスポイント１０３、第２のアクセスポイント１０４、第３のアクセスポイント１０５は、インターネット１０６に接続されるアクセスポイントである。これらのアクセスポイント１０３〜１０５は、ストレージサーバ１０７、またはストレージサーバ１０７と契約するインターネットプロバイダ等が管理している。本実施の形態では、あらかじめ３箇所のアクセスポイントが設定されている。
【００２６】
これら複数の別々のインターネットアクセスポイントに対して、無線中継点１０２は同じデータブロック２０３（２１３）を送付する。データブロック２０３（２１３）を受け取った各アクセスポイント１０３〜１０５は、インターネット１０６を介して、ストレージサーバ１０７に対して、同じデータブロック２０３（２１３）の転送を一斉に開始する（ステップＳ５０２）。
【００２７】
無線中継点１０２からデータブロック２０３（２１３）を受信した各アクセスポイント１０３〜１０５は、インターネット１０６に直ぐに転送する（ステップＳ５０３）。インターネット１０６内では、中継されるサーバの能力や経由されるネットワーク容量または込み具合などで、各アクセスポイント１０３〜１０５が転送を同時に開始しても、ストレージサーバ１０７に届く時間に差が発生する。
【００２８】
ストレージサーバ１０７では、順次届く同じデータブロック２０３（２１３）のうち、最も速く到達したものを採用することによって、インターネット１０６内の最も速い経路での転送を常に確保し、動画データ転送のリアルタイム性を実現している。
【００２９】
データブロック２０３（２１３）を受け取ったストレージサーバ１０７は、利用者ＩＤ毎に割り振られたストレージ領域に順次格納していく（ステップＳ５０４）。ストレージ領域は、利用者との間で、例えば金銭での契約によって確保されるもので、容量によって課金方法を変えてもいい。
【００３０】
ストレージサーバ１０７は、受信したデータブロック２０３（２１３）をフレーム番号毎に整理し、さらに伸張して元の動画データに復号する（ステップＳ５０５）。次に、復号した画像を所定のストレージ領域に格納する（ステップＳ５０６）。これにより、ユーザは自宅１０９のコンピュータ（図示せず）からインターネット１０６を介してストレージサーバ１０７にアクセスすることができる。
【００３１】
これにより、ストレージサーバ１０７のシステムを利用して、画像の編集や、自宅１０９のコンピュータ等にダウンロードすることができるようになっている。また、希望すれば、ＤＶＤのような記録媒体１０８にコピー（ステップＳ５０６）して、自宅１０９に郵送するサービスも受けることができる。
【００３２】
図３は、本実施の形態のデジタルビデオカメラ１０１の構成の一例を示すブロック図である。
図３において、３０１は全体の制御を行うＣＰＵ、３０２は動画、及び静止画を撮影するカメラ部である。
【００３３】
３０３はカメラ部３０２から入力される画像信号を処理するビデオ信号処理部、３０４は画像の表示や操作のための表示を行う表示部、３０５は表示部３０４の制御を行う表示制御部、３０６はユーザが操作を行う操作部でボタンやキー、ペン入力のためのデジタイザを含む。
【００３４】
３０７は静止画、動画、音声、音楽の符号化、復号化を行う符号化／復号化部であり、このうち１つまたは複数がプログラムメモリ３１１に格納されるソフトウェアによって実装されていてもよい。
【００３５】
３０８はオーディオ信号を取り込むマイク、３０９は音の入出力を制御するオーディオ信号処理部、３１０は音声やキータッチ音などのオーディオ信号を出力するスピーカ、３１１はプログラムを格納するプログラムメモリ、３１２はデータを格納するデータメモリで、Ｆｌａｓｈメモリ、ＳＲＡＭ、ＤＲＡＭなどで構成されている。３１５は通信制御部で、無線によって無線中継点１０２との通信を行う。３１６は各部を接続するバスである。
【００３６】
このように構成された本実施の形態のデジタルビデオカメラ１０１においては、前記符号化／復号化部３０７により、図２に示したように、撮像された動画データを圧縮し、ストレージサーバ１０７に転送するためのデータブロックを作成する処理を行う。
【００３７】
このような構成により、本実施の形態のデジタルビデオカメラ１０１においては、デジタルビデオカメラ１０１は、例えばカセットテープ等のストレージ媒体が不要となり、記録可能な時間に制約されることなく撮影を行うことができる。
【００３８】
また、ストレージ媒体が不要な分だけ、ストレージ媒体の駆動にかかる電池の消耗が無くなる。さらに、ストレージ媒体が不要な分だけ小型軽量化が可能であり、実用上において大きなメリットが得られる。
【００３９】
［他の実施の形態］
上述した本発明の実施の形態における撮像装置、画像転送システムを構成する各手段、並びに撮像方法及び動画データ転送方法の各ステップは、コンピュータのＲＡＭやＲＯＭなどに記憶されたプログラムが動作することによって実現できる。このプログラム及び上記プログラムを記録したコンピュータ読み取り可能な記憶媒体は本発明に含まれる。
【００４０】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００４１】
なお、本発明は、前述した実施の形態の機能を実現するソフトウェアのプログラム（実施の形態では図４及び図５に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００４２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４３】
その場合、プログラムの機能を有していれば、オブジェクトコード、インタプリタにより実行されるプログラム、ＯＳに供給するスクリプトデータ等の形態であってもよい。
【００４４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４５】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００４６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４８】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００４９】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００５０】
【図１】本発明の第１の実施の形態に係る画像転送システムの構成の一例を示すブロック図である。
【図２】ストレージサーバ１０７に転送するためのデータブロックを作成する手順を説明する図である。
【図３】図１に示すデジタルビデオカメラ１０１の構成の一例を示すブロック図である。
【図４】図１に示すデジタルビデオカメラ１０１の制御方法の手順を説明するフローチャートである。
【図５】デジタルビデオカメラで生成した動画データをストレージサーバに転送する手順を説明するフローチャートである。
【符号の説明】
【００５１】
１０１  デジタルビデオカメラ
１０２  無線中継点
１０３  第１のアクセスポイント
１０４  第２のアクセスポイント
１０５  第３のアクセスポイント
１０６  インターネット
１０７  ストレージサーバ
１０８  記録媒体
１０９  自宅
【図１】
2006157235.tif 000003
【図２】
2006157235.tif 000004
【図３】
2006157235.tif 000005
【図４】
2006157235.tif 000006
【図５】
2006157235.tif 000007